(57)【要約】【課題】シャトルコックの壁打ちに適したシャトルコックの壁打ち用ボードを提供する。【解決手段】シャトルコックの壁打ち用ボード１０は、３０％以上１００％未満の反発弾性率を有する弾性体層１１と、弾性体層１１上に設けられ、外部に露出した表面を有する表面材層１２とを備える。表面材層１２は、弾性体層１１よりも高い硬度を有し、表面材層１２の表面は、０より大きく０．４３以下の静摩擦係数を有する。【選択図】図５
2014124411.tif 000002
【特許請求の範囲】
【請求項１】
３０％以上１００％未満の反発弾性率を有する弾性体層と、
前記弾性体層上に設けられ、外部に露出した表面を有する表面材層とを備え、
前記表面材層は、前記弾性体層よりも高い硬度を有し、
前記表面材層の表面は、０より大きく０．４３以下の静摩擦係数を有する、シャトルコックの壁打ち用ボード。
【請求項２】
前記表面材層は、ポリ塩化ビニルまたはポリプロピレンを含む、請求項１に記載のシャトルコックの壁打ち用ボード。
【請求項３】
前記表面材層は、０．２ｍｍ以上１．５ｍｍ以下の厚みを有する、請求項２に記載のシャトルコックの壁打ち用ボード。
【請求項４】
前記表面材層の表面の傾斜角度を調節する角度調節器をさらに備えた、請求項１〜３のいずれかに記載のシャトルコックの壁打ち用ボード。
【請求項５】
主表面を有する芯材をさらに備え、
前記弾性体層は、前記芯材の主表面上に設けられる、請求項１〜４のいずれかに記載のシャトルコックの壁打ち用ボード。
【請求項６】
前記表面材層は、前記芯材の主表面に対して平行な表面を有する第１の領域と、前記第１の領域の表面に対して平行でない第２の表面を有する第２の領域とを含む、請求項５に記載のシャトルコックの壁打ち用ボード。
【発明の詳細な説明】
【技術分野】
【０００１】
本発明はシャトルコックの壁打ち用ボードに関し、より特定的には、シャトルコックを使用して一人でラケットワークの練習を行うためのシャトルコックの壁打ち用ボードに関する。
【背景技術】
【０００２】
バドミントンは、２人ないし４人のプレーヤーがネットを隔てて互いに向き合い、シャトルコックをラケットで打ち合うスポーツである。シャトルコックは、合成皮革で被覆された半球状のコルクと、コルクから放射状に延在する複数の鳥の羽とを含んでいる。
【０００３】
従来、バドミントンのプレーヤーは、シャトルコックを使用して一人でラケットワークの練習を行う場合には、シャトルコックの壁打ちを行っていた。シャトルコックの壁打ちとは、たとえば体育館の木質系やセメント系の硬質な壁面に向かってシャトルコックをラケットで打ち込み、壁面で跳ね返ったシャトルコックをラケットで壁面に再び打ち込むという動作を繰り返す練習方法である。
【０００４】
下記特許文献１および２には、従来の球技用練習器具が開示されている。下記特許文献１には、適宜の形状および大きさに形成された枠体と、枠体内に張設されたネットと、枠体またはネットに取り付けられた複数の複数の係止具とを備えた球技用練習器具が開示されている。この球技用練習器具は、バドミントン用ネットの上辺から上方へ突出するようにバドミントン用ネットに対して係止具によって取り付けられる。
【０００５】
下記特許文献２には、ガラス繊維強化プラスチックの第１層と、第１層に内接する空気流通孔を持つ熱硬化性ポリウレタン発泡体の第２層と、木材、金属、またはガラス繊維強化プラスチックなどからなる第３層とを備えた球技用練習ボードが開示されている。
【先行技術文献】
【特許文献】
【０００６】
【特許文献１】特開２００６−２２３７３３号公報
【特許文献２】特開平０９−２２５０７９号公報
【発明の概要】
【発明が解決しようとする課題】
【０００７】
シャトルコックは、対象物へ衝突する部分がコルクよりなっているので、ボールと比べて対象物に与える衝撃が小さく、シャトルコック自身の反発力も小さい。このため、木質系やセメント系の硬質な壁面をシャトルコックの壁打ちに使用した場合（シャトルコックを打ち込む対象物とした場合）、打ち込まれたシャトルコックが十分に跳ね返らなかった。シャトルコックの壁打ちを行うためには、プレーヤーにはシャトルコックを強く打ち込むための力と技術とが必要とされていた。その結果、力の弱い子供や初心者などのプレーヤーは、壁面を練習環境として利用することができなかった。
【０００８】
特許文献１の球技用練習器具におけるシャトルコックが衝突する部分は、反発力の弱いネットよりなっている。特許文献１の球技用練習器具を用いてシャトルコックの壁打ちを行った場合、打ち込まれたシャトルコックが十分に跳ね返らず、プレーヤーはシャトルコックを繰り返し打ち込むことができなかった。
【０００９】
特許文献２の球技用練習ボードは、ボールが繰り返し当たる衝撃に耐える必要があるため、ボールが衝突する表面がガラス繊維強化プラスチックよりなっている。ガラス繊維強化プラスチックの硬度は非常に高いため、特許文献２の球技用練習ボードを用いてシャトルコックの壁打ちを行った場合、打ち込まれたシャトルコックが十分に跳ね返らず、プレーヤーはシャトルコックを繰り返し打ち込むことができなかった。
【００１０】
本発明は、上記課題を解決するためのものであり、その目的は、シャトルコックの壁打ちに適したシャトルコックの壁打ち用ボードを提供することである。
【課題を解決するための手段】
【００１１】
本発明の一の局面に従うシャトルコックの壁打ち用ボードは、３０％以上１００％未満の反発弾性率を有する弾性体層と、弾性体層上に設けられ、外部に露出した表面を有する表面材層とを備え、表面材層は、弾性体層よりも高い硬度を有し、表面材層の表面は、０より大きく０．４３以下の静摩擦係数を有する。
【００１２】
上記シャトルコックの壁打ち用ボードにおいて好ましくは、表面材層は、ポリ塩化ビニルまたはポリプロピレンを含む。
【００１３】
上記シャトルコックの壁打ち用ボードにおいて好ましくは、表面材層は、０．２ｍｍ以上１．５ｍｍ以下の厚みを有する。
【００１４】
上記シャトルコックの壁打ち用ボードにおいて好ましくは、表面材層の表面の傾斜角度を調節する角度調節器をさらに備える。
【００１５】
上記シャトルコックの壁打ち用ボードにおいて好ましくは、主表面を有する芯材をさらに備え、弾性体層は、芯材の主表面上に設けられる。
【００１６】
上記シャトルコックの壁打ち用ボードにおいて好ましくは、表面材層は、芯材の主表面に対して平行な表面を有する第１の領域と、第１の領域の表面に対して平行でない第２の表面を有する第２の領域とを含む。
【発明の効果】
【００１７】
本発明によれば、シャトルコックの壁打ちに適したシャトルコックの壁打ち用ボードを提供することができる。
【図面の簡単な説明】
【００１８】
【図１】本発明の一実施の形態におけるシャトルコックの壁打ち用ボードの使用状態を模式的に示す断面図である。
【図２】本発明の一実施の形態におけるシャトルコックの壁打ち用ボードの構成を示す正面図である。
【図３】図２のＹ−Ｙ線に沿った断面図である。
【図４】本発明の一実施の形態におけるシャトルコックの壁打ち用ボードの構成を示す底面図である。
【図５】図３の部分ＲＧの拡大図である。
【図６】角度調節器による壁打ち用ボードの傾斜角度の調節方法を説明する図である。
【図７】シャトルコックの壁打ち用ボードの材料の構成と、シャトルコックの跳ね返りとの関係を示す図である。
【図８】本発明の第１の変形例におけるシャトルコックの壁打ち用ボードの構成を示す正面図である。
【図９】図８のＹ−Ｙ線に沿った断面図である。
【図１０】本発明の第１の変形例におけるシャトルコックの壁打ち用ボードの構成を示す底面図である。
【図１１】本発明の第２の変形例におけるシャトルコックの壁打ち用ボードの構成を示す正面図である。
【図１２】図１１のＹ−Ｙ線に沿った断面図である。
【図１３】本発明の第２の変形例におけるシャトルコックの壁打ち用ボードの構成を示す底面図である。
【図１４】本発明の第３の変形例におけるシャトルコックの壁打ち用ボードの構成を示す正面図である。
【図１５】図１４に示すシャトルコックの壁打ち用ボードを壁に吊した状態を示す断面図である。
【図１６】本発明の第４の変形例におけるシャトルコックの壁打ち用ボードの構成を示す正面図である。
【図１７】図１６のＹ−Ｙ線に沿った断面図である。
【図１８】試料Ａ１〜Ｏ１の表面材層を構成する材料と、試料Ａ１〜Ｏ１の特性との関係を示す表である。
【発明を実施するための形態】
【００１９】
以下、本発明の一実施の形態について、図面に基づいて説明する。
【００２０】
図１は、本発明の一実施の形態におけるシャトルコックの壁打ち用ボードの使用状態を模式的に示す断面図である。
【００２１】
図１を参照して、本実施の形態におけるシャトルコックの壁打ち用ボード１０（以降、壁打ち用ボード１０と呼ぶことがある）は、体育館の壁面３０に固定された状態で使用される。壁打ち用ボード１０は、その上部の壁面取付部１５がビス１６によって壁面３０に固定されている。壁打ち用ボード１０の下部と壁面３０との間には、角度調節器２０ａによってスペースが生じている。これにより、壁打ち用ボード１０は壁面３０に対して傾斜した状態となる。壁打ち用ボード１０の傾斜角度φは角度調節器２０ａによって調節することができる。
【００２２】
プレーヤーが、たとえばアンダーハンドストロークなどにより、矢印ＡＲ１で示す方向にシャトルコックを壁打ち用ボード１０に対して打ち込んだ場合を想定する。矢印ＡＲ１で示す方向は、下方から上方へ向かう方向であり、かつ水平方向に対して角度θ１をなす方向である。壁打ち用ボード１０に打ち込まれたシャトルコックは、矢印ＡＲ２で示す方向に跳ね返る。矢印ＡＲ２で示す方向は、下方から上方へ向かう方向であり、かつ水平方向に対して角度θ２をなす方向である。角度θ２は、壁打ち用ボード１０の傾斜角度φが大きくなる程、大きくなる。
【００２３】
本実施の形態における壁打ち用ボード１０によれば、大きな反発力をシャトルコックに対して与えることができるとともに、シャトルコックを正しい方向に反発させることができる。具体的には、壁打ち用ボード１０に打ち込まれたシャトルコックは、壁打ち用ボード１０の表面の法線Ｘに対する入射角α１とほぼ等しい反射角α２の方向に跳ね返る。その結果、シャトルコックは山なりの軌跡でプレーヤーの位置付近まで到達するので、プレーヤーはシャトルコックを繰り返し打ち込むことができる。
【００２４】
なお、壁打ち用ボード１０の設置場所は任意であり、体育館の壁面に限らず、住宅内の壁面などであってもよい。また、衝立や移動式衝立などに設置されてもよい。
【００２５】
続いて、本実施の形態におけるシャトルコックの壁打ち用ボードの具体的構成について説明する。
【００２６】
図２〜図４は、本発明の一実施の形態におけるシャトルコックの壁打ち用ボードの構成を示す図である。図２は正面図であり、図３は図２のＹ−Ｙ線に沿った断面図であり、図４は底面図である。
【００２７】
図２〜図４を参照して、壁打ち用ボード１０は、芯材ボード１（芯材の一例）と、マット２と、角度調節器２０ａとを備えている。芯材ボード１は矩形の平面形状を有している。また芯材ボード１は、板状であり、平面状の主表面１ａおよび１ｂを有している。芯材ボード１は、その上部に壁面取付部１５を含んでおり、壁面取付部１５にはビスを通すための６個のビス穴４が開口されている。
【００２８】
芯材ボード１の壁面取付部１５以外の部分における主表面１ａ上には、マット２が設けられている。マット２は、矩形の平面形状を有しており、シート状である。
【００２９】
角度調節器２０ａは、芯材ボード１の下部における主表面１ｂに取り付けられている。角度調節器２０ａは、後述する方法でその長さＬを調節可能であり、長さＬを調節することにより壁打ち用ボード１０の傾斜角度を調節可能である。なお、壁打ち用ボード１０が角度調節器２０ａを備えておらず、壁打ち用ボード１０の傾斜角度が常に一定値であってもよい。
【００３０】
ビス穴４の位置および個数は任意である。壁打ち用ボード１０の取付方法は任意であり、本実施の形態のようにビス１６を用いる場合の他、壁面に設けられたフックに対して紐などで吊り下げてもよいし、両面テープなどにより壁面に接着してもよい。壁面取付部１５は設けられなくてもよい。芯材ボード１およびマット２の平面形状は任意であり、芯材ボード１は、本実施の形態のような矩形の他、円形などでもよい。
【００３１】
図５は、図３の部分ＲＧの拡大図である。
【００３２】
図５を参照して、芯材ボード１は、たとえば木質系の板、合成樹脂系の板、繊維強化プラスチック板、金属とプラスチックとの複合板、または紙系の板などよりなっている。木質系の板としては、たとえば合板、集成材、パーチクルボード、ハードボード、ランバーコア、または中密度繊維板（ＭＤＦ合板）などの木質繊維板が挙げられる。合成樹脂系の板としては、たとえばプラスチック板、またはプラスチック中空板（プラスチックハニカムボード、プラスチック気泡ボード、またはプラスチックダンボールなど）などが挙げられる。紙系の板としては、たとえば中空成形された板紙（ペーパーハニカムボード、または強化ダンボールなど）が挙げられる。
【００３３】
芯材ボード１は、上記以外の材料よりなっていてもよい。また芯材ボード１は、上記の材料単体よりなっていてもよいし、たとえば木質の板と合成樹脂系の板とを組み合せた複合体など、上記の材料を任意に組み合わせた複層体よりなっていてもよい。
【００３４】
マット２は、弾性体層１１と、表面材層１２とを含んでいる。弾性体層１１は、芯材ボード１の主表面１ａ上に設けられており、表面材層１２は弾性体層１１上に設けられている。
【００３５】
弾性体層１１は、高弾性を有しており、３０％以上１００％未満の反発弾性率を有している。弾性体の反発弾性率は、たとえばＪＩＳ  Ｋ  ６４００として規定された方法で決定することができる。弾性体層１１が３０％以上の反発弾性率を有することにより、打ち込まれたシャトルコックに対して弾性体層１１から大きな反発力を与えることができる。より小さな力で反発力を得るためには、弾性体層１１は５０％以上の反発係数を有していることが好ましい。
【００３６】
弾性体層１１は、たとえばポリオレフィン発泡体（ポリエチレン発泡体）、クロロプレン（ＣＲ）ゴム発泡体（クロロプレン系ゴムスポンジ）、エチレンプロピレンジエンゴム発泡体（エチレンプロピレンゴム（ＥＰＤＭ）系ゴムスポンジ）、エチレン・酢酸ビニル共重合樹脂（ＥＶＡ）発泡体、またはポリウレタン発泡体などよりなっている。
【００３７】
弾性体層１１は、連通気泡を含むものであってもよいし、連通気泡および独立気泡を含むものであってもよい。弾性体層１１が連通気泡および独立気泡を含むものである場合、独立気泡の割合が多いことが好ましい。弾性体層１１の厚さは任意である。
【００３８】
表面材層１２は弾性体層１１よりも高い硬度を有している。表面材層１２は、平滑層１２ａと印刷層１２ｂとを含む。印刷層１２ｂは弾性体層１１と平滑層１２ａとの間に設けられている。平滑層１２ａは外部に露出した表面を有している。
【００３９】
平滑層１２ａの表面（上部表面）は平滑であり、０より大きく０．４３以下、好ましくは０．２０以下の静摩擦係数を有している。平滑層１２ａの表面の静摩擦係数は、たとえばＪＩＳ  Ｋ  ７１２５として規定された方法で決定することができる。
【００４０】
平滑層１２ａの表面の摩擦を小さくするために、平滑層１２ａの表面に対して梨地仕上げ、砂目仕上げ、マット仕上げ、またはエンボス加工などの表面処理を行ってもよい。また、平滑層１２ａの表面にヤスリがけを行うなどの方法で平滑層１２ａの表面に滑り性を付与してもよい。さらに平滑層１２ａの表面にシリコーン樹脂やフッ素樹脂を添加、貼り付け、またはコーティングしてもよい。これらの処理は互いに組み合わされてもよい。
【００４１】
平滑層１２ａは、たとえばポリ塩化ビニル（ＰＶＣ）、ポリエチレン、ポリスチレン、ポリプロピレン（ＰＰ）、ポリカーボネイト、またはＡＢＳ樹脂（アクリロニトリル、ブタジエン、スチレン共重合合成樹脂）などの熱可塑性樹脂の樹脂シート層よりなっている。平滑層１２ａは、軟質、半硬質、および硬質のいずれであってもよい。平滑層１２ａは単層であっても複層であってもよい。
【００４２】
平滑層１２ａは、材料の可撓性の観点から、ＰＶＣまたはＰＰよりなっていることが好ましい。平滑層１２ａがＰＶＣまたはＰＰよりなっている場合には、表面材層１２の厚みは０．２ｍｍ以上１．５ｍｍ以下であることが好ましい。これにより、打ち込まれたシャトルコックの力で表面材層１２が変形し、それによって弾性体層１１が凹むので、大きな反発力を弾性体層１１から得ることができる。
【００４３】
軟質樹脂は、同じ厚さの硬質樹脂に比べて反発力が小さいため、平滑層１２ａとして軟質樹脂を採用した場合には、打ち込まれたシャトルコックがゆっくりと跳ね返る。このため、一般的なレベルのプレーヤーが使用する壁打ち用ボード１０の平滑層１２ａには、軟質樹脂が使用されることが好ましい。一方、硬質樹脂は、同じ厚さの軟質樹脂に比べて反発力が大きいため、平滑層１２ａとして硬質樹脂を採用した場合には、打ち込まれたシャトルコックが速く跳ね返る。このため、高レベルのプレーヤーが使用する壁打ち用ボード１０の平滑層１２ａには、硬質樹脂が使用されることが好ましい。
【００４４】
印刷層１２ｂは、シャトルコックの標的などが印刷された層である。印刷層１２ｂを設けることによりプレーヤーの練習効果を高めることができる。印刷層１２ｂは、たとえばＰＰペフ紙よりなっている。なお、印刷層１２ｂが設けられず、弾性体層１１と平滑層１２ａとが接触してもよい。印刷層１２ｂが設けられず、平滑層１２ａの表面、または平滑層１２ａにおける弾性体層１１との境界面に直接印刷されてもよい。印刷層１２ｂが設けられる場合には、印刷層１２ｂへ印刷された文字や図が外部から見えるように、平滑層１２ａは半透明または透明の材料よりなることが好ましい。
【００４５】
図６は、角度調節器による壁打ち用ボードの傾斜角度の調節方法を説明する図である。
【００４６】
図６（ａ）を参照して、角度調節器２０ａは、５つのブロック２１ａ〜２１ｅと、面ファスナー２２とを含んでいる。ブロック２１ａは芯材ボード１の主表面１ｂに固定されている。ブロック２１ｂはブロック２１ａと接続されており、ブロック２１ｃはブロック２１ｂと接続されており、ブロック２１ｄはブロック２１ｃと接続されており、ブロック２１ｅはブロック２１ｄと接続されている。面ファスナー２２は、ブロック２１ａ〜２１ｅの各々の上面に装着されており、面ファスナー２２によってブロック２１ａ〜２１ｅは互いに接続されている。ブロック２１ａおよび２１ｃ〜２１ｅの各々は、長さＤの辺を有する正方形の断面形状を有している。ブロック２１ｂは、長さＤの辺と長さ２Ｄの辺とを有する長方形の断面形状を有している。
【００４７】
図６（ａ）に示すように、角度調節器２０ａが完全に伸びている状態では、ブロック２１ａ〜２１ｅが図中横方向に並んでいる。角度調節器２０ａがこの状態にある場合、角度調節器２０ａの長さは長さ６Ｄとなり、壁打ち用ボード１０（表面材層１２の表面）の傾斜角度は最大となる。
【００４８】
図６（ｂ）に示すように、角度調節器２０ａの最も先端にあるブロック２１ｅが点線の矢印で示すように上方に折り畳まれた状態では、ブロック２１ａ〜２１ｄが図中横方向に並んでいる。角度調節器２０ａがこの状態にある場合、角度調節器２０ａの長さは長さ５Ｄとなり、壁打ち用ボード１０（表面材層１２の表面）の傾斜角度は、図６（ａ）の場合よりも小さくなる。
【００４９】
図６（ｃ）に示すように、角度調節器２０ａの先端側の２つのブロック２１ｄおよび２１ｅが点線の矢印で示すように上方に折り畳まれた状態では、ブロック２１ａ〜２１ｃが図中横方向に並んでいる。角度調節器２０ａがこの状態にある場合、角度調節器２０ａの長さは長さ４Ｄとなり、壁打ち用ボード１０（表面材層１２の表面）の傾斜角度は、図６（ｂ）の場合よりも小さくなる。
【００５０】
図６（ｄ）に示すように、角度調節器２０ａの先端側の３つのブロック２１ｃ〜２１ｅが点線の矢印で示すように上方に折り畳まれた状態では、ブロック２１ａおよび２１ｂが図中横方向に並んでいる。角度調節器２０ａがこの状態にある場合、角度調節器２０ａの長さは長さ３Ｄとなり、壁打ち用ボード１０（表面材層１２の表面）の傾斜角度は、図６（ｃ）の場合よりも小さくなる。
【００５１】
図６（ｅ）に示すように、角度調節器２０ａの先端側の４つのブロック２１ｂ〜２１ｅが点線の矢印で示すように上方に折り畳まれた状態では、ブロック２１ａが図中横方向に並んでいる。角度調節器２０ａがこの状態にある場合、角度調節器２０ａの長さは長さ２Ｄとなり、壁打ち用ボード１０（表面材層１２の表面）の傾斜角度は、図６（ｄ）の場合よりも小さくなる。
【００５２】
図６（ｆ）に示すように、面ファスナー２２およびブロック２１ｂ〜２１ｅがブロック２１ａから取り外された状態では、ブロック２１ａのみが図中横方向に並んでいる。角度調節器２０ａがこの状態にある場合、角度調節器２０ａの長さは長さＤとなり、壁打ち用ボード１０（表面材層１２の表面）の傾斜角度は、図６（ｅ）の場合よりも小さくなる。
【００５３】
このように、壁打ち用ボード１０（表面材層１２の表面）の傾斜角度を調節可能とすることで、プレーヤーのレベルに応じて、跳ね返るシャトルコックの軌跡を調節することができ、１つの壁打ち用ボード１０でレベル（習熟度）の異なるプレーヤーがシャトルコックの壁打ちを行うことができる。
【００５４】
次に、本実施の形態における壁打ち用ボードが奏する効果について説明する。
【００５５】
図７は、シャトルコックの壁打ち用ボードの材料の構成と、シャトルコックの跳ね返りとの関係を示す図である。なお図７では、シャトルコックの壁打ち用ボードの表面の法線が水平方向に延在する場合を示している。（ａ）は、壁打ち用ボードの表面が弾性体層１１で構成されている場合（表面材層が設けられていない場合）の図であり、（ｂ）および（ｃ）は、壁打ち用ボードが本実施の形態における壁打ち用ボード１０である場合の図である。矢印ＡＲ１で示す方向は、シャトルコックの入射方向である。
【００５６】
図７（ａ）を参照して、壁打ち用ボードの表面が弾性体層１１で構成されている場合（表面材層が設けられていない場合）、弾性体層１１は低い硬度を有しているので、打ち込まれたシャトルコックの力で大きく凹む。シャトルコックの先端部は弾性体層１１内に取り込まれ、シャトルコックの回転および方向転換は弾性体層１１によって妨げられる。これにより、シャトルコックの反発力は小さくなり、その反発方向は、矢印ＡＲ３で示すように入射方向よりも下方向となる。その結果、シャトルコックはプレーヤーの位置まで跳ね返りにくくなる。
【００５７】
図７（ｂ）を参照して、壁打ち用ボードが本実施の形態における壁打ち用ボード１０である場合、表面材層１２は高い硬度を有しているので、弾性体層１１は、打ち込まれたシャトルコックの力で凹むものの、シャトルコックの先端部は弾性体層１１内に取り込まれない。また表面材層１２の表面は平滑であるので、シャトルコックの回転は維持され、シャトルコックの方向転換は表面材層１２によって妨げられない。これにより、シャトルコックは弾性体層１１から反発力を得て、その反発方向は、矢印ＡＲ４で示すように正しい方向（壁打ち用ボードの表面の法線Ｘに対するシャトルコックの入射角α１とほぼ等しい反射角α２となるような方向）となる。
【００５８】
図７（ｃ）を参照して、壁打ち用ボードが本実施の形態における壁打ち用ボード１０であり、かつ表面材層１２が比較的薄い場合（たとえば１．５ｍｍ以下の厚みである場合）、弾性体層１１は、打ち込まれたシャトルコックの力で凹みやすくなる。これにより、シャトルコックは弾性体層１１から一層大きな反発力を得て、プレーヤーの位置付近まで到達しやすくなる。
【００５９】
したがって、表面材層１２（平滑層１２ａ）の表面の静摩擦係数を０．４３以下にすることにより、表面材層１２とシャトルコックとの摩擦が小さくなる、これにより、シャトルコックが壁打ち用ボード１０で跳ね返る際にシャトルコックの回転が維持され(球の滑りがよくなり)、シャトルコックの方向転換を促進させ、シャトルコックの反発方向を安定させることができる（球離れが良くなる）。
【００６０】
表面材層１２の厚みは、打ち込まれたシャトルコックの力により弾性体層１１が反発力を十分に発揮する程度に薄いことが好ましい。具体的に、平滑層１２ａがＰＶＣまたはＰＰよりなっている場合には、表面材層１２の厚みは１．５ｍｍ以下であることが好ましく、１．０ｍｍ以下であることがより好ましく、０．８ｍｍであることが最も好ましい。
【００６１】
一方、表面材層１２の厚みは、打ち込まれたシャトルコックの先端部が弾性体層１１内に取り込まれない程度に厚いことが好ましい。具体的に、平滑層１２ａがＰＶＣまたはＰＰよりなっている場合には、表面材層１２の厚みは０．２ｍｍ以上であることが好ましく、０．３ｍｍ以上であることがより好ましい。
【００６２】
［第１の変形例］
図８〜図１０は、本発明の第１の変形例におけるシャトルコックの壁打ち用ボードの構成を示す図である。図８は正面図であり、図９は図８のＹ−Ｙ線に沿った断面図であり、図１０は底面図である。
【００６３】
図８〜図１０を参照して、本変形例における壁打ち用ボード１０は、壁打ち用ボードの傾斜角度を調節する角度調節器として角度調節器２０ｂを備えている点において、図２〜図４に示す壁打ち用ボードとは異なっている。
【００６４】
角度調節器２０ｂは、芯材ボード１の下部の両側部における主表面１ｂに取り付けられている。角度調節器２０ｂは、ゴムなどよりなる複数枚の円筒形部材２３を含んでいる。円筒形部材２３の各々は、面ファスナーなどにより互いに着脱可能となっている。角度調節器２０ｂは、角度調節器２０ｂを構成する円筒形部材２３の数を変えることによりその長さＬを調節可能であり、長さＬを調節することにより壁打ち用ボード１０（表面材層１２の表面）の傾斜角度を調節可能である。
【００６５】
なお、上述以外の壁打ち用ボード１０の構成は、図２〜図４に示す壁打ち用ボードと同じであるため、同一の部材には同一の符号を付し、その説明は繰り返さない。
【００６６】
［第２の変形例］
図１１〜図１３は、本発明の第２の変形例におけるシャトルコックの壁打ち用ボードの構成を示す図である。図１１は正面図であり、図１２は図１１のＹ−Ｙ線に沿った断面図であり、図１３は底面図である。
【００６７】
図１１〜図１３を参照して、本変形例における壁打ち用ボード１０は、芯材ボード１が壁面取付部１５を含んでおらず、芯材ボード１およびマット２の周囲に設けられた反り止め枠１４を備えている点において、図２〜図４に示す壁打ち用ボードとは異なっている。
【００６８】
反り止め枠１４は、図に示すように矩形の芯材ボード１の全周（四辺）に沿って設けられていてもよいし、矩形の芯材ボード１における任意の二辺または三辺に沿って設けられていてもよい。
【００６９】
反り止め枠１４とともに、または反り止め枠１４の代わりに、芯材ボード１の裏面に反り止めのための補強リブが設けられてもよい。
【００７０】
壁打ち用ボード１０は、表面積の大きさと比較して厚みが薄いため、反りが生じやすい。このため、反り止め枠１４を設けることにより、壁打ち用ボード１０に反りが生じるのを防止することができる。
【００７１】
壁面に設けられたフックに対して壁打ち用ボード１０が紐で吊り下げられるものである場合には、反り止め枠１４の上部などに、紐を通すための吊り下げ用穴３が設けられていてもよい。
【００７２】
なお、上述以外の壁打ち用ボード１０の構成は、図２〜図４に示す壁打ち用ボードと同じであるため、同一の部材には同一の符号を付し、その説明は繰り返さない。
【００７３】
［第３の変形例］
図１４は、本発明の第３の変形例におけるシャトルコックの壁打ち用ボードの構成を示す正面図である。図１５は、図１４に示すシャトルコックの壁打ち用ボードを壁に吊した状態を示す断面図である。
【００７４】
図１４および図１５を参照して、本変形例における壁打ち用ボード１０は、紐で吊り下げられるものである代わりに、壁面３０に設けられたフック７に対して、壁打ち用ボード１０がフック掛け部６で吊り下げられるものである点において、図１１〜図１３に示す壁打ち用ボードとは異なっている。
【００７５】
なお、上述以外の壁打ち用ボード１０の構成は、図２〜図４に示す壁打ち用ボードと同じであるため、同一の部材には同一の符号を付し、その説明は繰り返さない。
【００７６】
［第４の変形例］
図１６および図１７は、本発明の第４の変形例におけるシャトルコックの壁打ち用ボードの構成を示す図である。図１６は正面図であり、図１７は図１６のＹ−Ｙ線に沿った断面図である。
【００７７】
図１６および図１７を参照して、本変形例における壁打ち用ボード１０は、マット２（表面材層１２）の表面に凹凸が設けられている点において、図２〜図４に示す壁打ち用ボードとは異なっている。
【００７８】
マット２は、芯材ボード１の主表面１ａに対して平行な表面を有する領域２ａと、領域２ａの表面に対して平行でない表面を有する領域２ｂとを含んでいる。領域２ａは、たとえばマット２の中央部において円の平面形状を有する領域である。領域２ｂは、たとえば領域２ａの周囲の領域である。領域２ｂのマット２は、緩やかな凹凸のある表面（領域２ａの表面の平面度よりも低い平面度を有する表面）を有していてもよいし、曲面状の表面を有していてもよい。
【００７９】
なお、上述以外の壁打ち用ボード１０の構成は、図２〜図４に示す壁打ち用ボードと同じであるため、同一の部材には同一の符号を付し、その説明は繰り返さない。
【００８０】
本変形例によれば、一の方向から打ち込まれたシャトルコックが領域２ａに当たった場合と領域２ｂに当たった場合とで、シャトルコックを異なる方向に跳ね返らせることができる。これにより、プレーヤーは跳ね返ったシャトルコックを壁打ち用ボード１０に対して再度打ち込むことが難しくなり、より高いレベルのプレーヤーに適した壁打ち用ボードとなる。
【００８１】
［実施例］
本願発明者は、壁打ち用ボードの表面層を構成する材料と、壁打ち用ボードの特性との関係を調べるべく、以下の試験を行った。
【００８２】
表面材層を構成する材料が互いに異なる壁打ち用ボードである試料Ａ１〜Ｏ１を製造した。試料Ａ１〜Ｍ１が本発明例であり、試料Ｎ１およびＯ１が比較例である。試料Ａ１〜Ｏ１の芯材ボードについては、いずれの試料もＭＤＦ合板を用いて作製し、弾性体層については、いずれの試料も３０％以上の反発弾性率を有するＥＶＡ発泡体を用いて作製した。表面材層に印刷層は設けなかった。
【００８３】
試料Ａ１〜Ｅ１の各々の表面材層については、それぞれ０．１ｍｍ、０．２ｍｍ、０．３ｍｍ、１．５ｍｍ、および２．０ｍｍの厚みを有するＰＶＣを用いて作製した。試料Ｆ１〜Ｊ１の各々の表面材層については、それぞれ０．１ｍｍ、０．２ｍｍ、０．３ｍｍ、１．５ｍｍ、および２．０ｍｍの厚みを有するＰＰを用いて作製した。試料Ｋ１の表面材層については、０．３ｍｍの厚みを有するＰＶＣであって、表面に梨地処理を行ったもの用いて作製した。試料Ｌ１の表面材層については、０．３ｍｍの厚みを有するＰＶＣであって、表面に梨地処理を行い、かつシリコーン樹脂をコーティングしたもの用いて作製した。試料Ｍ１の表面材層については、０．３ｍｍの厚みを有するＰＰであって、表面に梨地処理を行ったもの用いて作製した。試料Ｎ１の表面材層については、０．５ｍｍの厚みを有するウレタンゴムを用いて作製した。試料Ｏ１について、表面材層を設けず、弾性体層が表面に露出したものを作製した。
【００８４】
次に、試料Ａ１〜Ｎ１の各々の表面材層の表面の静摩擦係数を測定した。静摩擦係数の測定は、地方独立行政法人大阪市立工業研究所によって行われた。静摩擦係数の測定は、ＪＩＳ  Ｋ  ７１２５として規定された方法で静摩擦係数を３回測定し、３回の測定結果の平均値を算出することにより行われた。すべり片としては、試合用及び、練習用の複数のシャトルコック用の合成皮革が用いられた。その結果、試料Ａ１〜Ｅ１の静摩擦係数は０．４３であり、試料Ｆ１〜Ｊ１の静摩擦係数は０．３１であった。試料Ｋ１の静摩擦係数は０．２０であり、試料Ｌ１の静摩擦係数は０．１０であった。試料Ｍ１の静摩擦係数は０．２０であり、試料Ｎ１の静摩擦係数は０．８７であった。
【００８５】
続いて、試料Ａ１〜Ｎ１の各々の特性の評価を行った。具体的には、壁打ち用ボードを地面から１．３ｍの高さの位置の壁面に配置した。そして、壁面から２．５ｍ離れた高さ０．８ｍの位置からシャトルコックを壁打ち用ボードに打ち込み、跳ね返ったシャトルコック反発方向および飛距離を測定し、反発方向および飛距離から試料Ａ１〜Ｎ１の各々の特性を評価した。
【００８６】
図１８は、試料Ａ１〜Ｏ１の表面材層を構成する材料と、試料Ａ１〜Ｏ１の特性との関係を示す表である。
【００８７】
図１８を参照して、壁打ち用ボードとして試料Ｎ１またはＯ１を用いた場合には、水平線よりも下向きの不安定な反発方向となり、飛距離も小さかった。壁打ち用ボードとして試料Ａ１またはＦ１を用いた場合には、水平方向よりも上向きのほぼ安定した反発方向となり、大きな飛距離が得られた。壁打ち用ボードとして試料Ｅ１またはＪ１を用いた場合には、水平方向よりも上向きの安定した反発方向となり、十分な飛距離が得られた。壁打ち用ボードとして試料Ｂ１〜Ｄ１、またはＧ１〜Ｉ１を用いた場合には、水平方向よりも上向きの安定した反発方向となり、大きな飛距離が得られた。壁打ち用ボードとして試料Ｋ１〜Ｍ１を用いた場合には、水平方向よりも上向きの非常に安定した反発方向となり、大きな飛距離が得られた。
【００８８】
以上の結果より、表面材層の表面を０．４３以下の静摩擦係数とすることにより、十分な特性が得られることが分かった。また、表面材層を０．２ｍｍ以上１．５ｍｍ以下の厚みとすることにより、良好な特性が得られることが分かった。さらに、表面層の表面の静摩擦係数を低くすることで、非常に良好な特性が得られることが分かる。
【００８９】
また本願発明者らは、芯材ボードとしてＭＤＦ合板の代わりにプラスチック板または硬質ダンボールを採用した試料を壁打ち用ボードとして用いて、上述と同様の方法で特性の評価を行った。その結果、これらの試料の特性は、試料Ａ１〜Ｏ１の特性とほぼ同じであった。この結果より、芯材ボードの材質による特性の変化は小さいことが分かった。
【００９０】
さらに本願発明者らは、弾性体層としてＥＶＡの代わりに３０％以上の反発弾性率を有するポリオレフィン発泡体を採用した試料を壁打ち用ボードとして用いて、上述と同様の方法で特性の評価を行った。その結果、これらの試料の特性は、試料Ａ１〜Ｏ１の特性とほぼ同じであった。この結果より、弾性体層を構成する材料が３０％以上の反発弾性を有していれば、弾性体層を構成する材料による特性の変化は小さいことが分かった。
【００９１】
［実施の形態の効果］
上述の実施の形態のシャトルコックの壁打ち用ボードによれば、大きな反発力をシャトルコックに対して与えることができるとともに、シャトルコックを正しい方向に反発させることができる。その結果、プレーヤーはシャトルコックを繰り返し打ち込むことができ、シャトルコックの壁打ちに適した壁打ち用ボードとなる。また、どのようなレベルのプレーヤーも小さい力でシャトルコックの壁打ちを容易に行うことができる。
【００９２】
また、角度調節器で壁打ち用ボードの傾斜角度（シャトルコックが跳ね返る角度）を調節可能とすることにより、壁打ち用ボードで跳ね返ったシャトルコックの飛距離や軌跡を調節することができる。これにより、プレーヤーのレベルや壁打ち用ボードの設置場所などに適用したシャトルコックの飛距離や軌跡を実現することができる。
【００９３】
さらに、シャトルコックが衝突する際の衝撃音が弾性体層によって吸収されるので、体育館の木質系やセメント系の硬質な壁面にシャトルコックを直接打ち込む場合に比べて、騒音を低減することができる。その結果、バドミントンの好ましい練習環境を提供することができる。
【００９４】
［その他］
壁打ち用ボードは芯材ボードを備えていなくてもよい。この場合、マット（弾性体層）を壁面などに直接貼り付けることにより、壁打ち用ボードをシャトルコックの壁打ちに利用することができる。
【００９５】
壁打ち用ボードの傾斜角度を調節する角度調節器の構成は任意であり、ジャッキ式のものなどであってもよい。壁打ち用ボードにおける角度調節器が設けられる場所は任意である。
【００９６】
上述の実施の形態は互いに組み合わせることができる。たとえば第１の変形例の角度調節器を備えた壁打ち用ボードに対して、第２の変形例の反り止め枠を設けてもよいし、第３の変形例のフック掛け部を設けてもよいし、第４の変形例のように表面材層の表面に凹凸を設けてもよい。第２の変形例の反り止め枠を備えた壁打ち用ボードに対して、第３の変形例のフック掛け部を設けてもよいし、第４の変形例のように表面材層の表面に凹凸を設けてもよい。第３の変形例のフック掛け部を備えた壁打ち用ボードに対して、第４の変形例のように表面材層の表面に凹凸を設けてもよい。
【００９７】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９８】
１  芯材ボード
１ａ，１ｂ  芯材ボードの主表面
２  マット
２ａ  マットの領域
２ｂ  マットの領域
３  吊り下げ用穴
４  ビス穴
６  フック掛け部
７  フック
１０  壁打ち用ボード
１１  弾性体層
１２  表面材層
１２ａ  平滑層
１２ｂ  印刷層
１４  反り止め枠
１５  壁面取付部
１６  ビス
２０ａ，２０ｂ  角度調節器
２１ａ〜２１ｅ  ブロック
２２  面ファスナー
２３  円筒形部材
３０  壁面
【図１】
2014124411.tif 000003
【図２】
2014124411.tif 000004
【図３】
2014124411.tif 000005
【図４】
2014124411.tif 000006
【図５】
2014124411.tif 000007
【図６】
2014124411.tif 000008
【図７】
2014124411.tif 000009
【図８】
2014124411.tif 000010
【図９】
2014124411.tif 000011
【図１０】
2014124411.tif 000012
【図１１】
2014124411.tif 000013
【図１２】
2014124411.tif 000014
【図１３】
2014124411.tif 000015
【図１４】
2014124411.tif 000016
【図１５】
2014124411.tif 000017
【図１６】
2014124411.tif 000018
【図１７】
2014124411.tif 000019
【図１８】
2014124411.tif 000020